(57)【要約】      （修正有）【課題】雑草が生えるのを効果的に抑制することができる雑草抑制板を提供する。【解決手段】ゴム製で全体が弾性を有し、円環板状を成している。中央に、支柱の径よりやや小さい径の開口１１を有している。弾性のシール部１２が、開口１１に支柱を挿入したとき支柱に密着し、支柱との隙間を塞ぐよう、開口１１の周縁に沿って設けられている。シール部１２は、開口１１の側の側面がオイルシールから成り、開口１１の周縁に沿って孔側に突出する複数の環状のリップ１３を有している。雑草抑制板はガードレールの支柱、視線誘導標、電柱、立て看板の支柱等の支柱に取り付けられる。【選択図】図１
0003158904.tif 000002
【実用新案登録請求の範囲】
【請求項１】
支柱に取り付けられる雑草抑制板であって、
中央に前記支柱の径よりやや小さい径の開口を有し、前記開口に前記支柱を挿入したとき前記支柱に密着するよう前記開口の周縁に沿って弾性のシール部を有し、前記シール部はそれぞれ前記開口の周縁に沿った複数の環状のリップを有することを、
特徴とする雑草抑制板。
【請求項２】
全体が弾性を有し、前記開口から外周縁まで連通する切断部と、前記切断部の両側縁部に設けられて互いに接合可能な段差とを有することを、特徴とする請求項１記載の雑草抑制板。
【請求項３】
内部に埋め込まれ、前記切断部の一方の側縁部と他方の側縁部との間に伸び、常態で前記段差を互いに接合した状態に保つ板バネを有することを、特徴とする請求項２記載の雑草抑制板。
【考案の詳細な説明】
【技術分野】
【０００１】
本考案は、ガードレールの支柱、視線誘導標、電柱、立て看板の支柱等の支柱に取り付けて使用される雑草抑制板に関する。
【背景技術】
【０００２】
ガードレールの支柱や視線誘導標等の支柱に取り付けて使用される従来の雑草抑制板は、外周縁から内周縁に至る半径方向切断線に沿って切断し、両切断端部同士を重合可能とした環状プレートから成っている（例えば、特許文献１参照）。
【先行技術文献】
【特許文献】
【０００３】
【特許文献１】特開平８−６８０２２号公報
【考案の概要】
【考案が解決しようとする課題】
【０００４】
特許文献１に記載の雑草抑制板は、支柱との間に隙間が発生したり、支柱との境界から水が地面に浸みこんだりしやすいため、雑草の繁殖を抑える効果が低く、雑草が生えてきやすいという課題があった。
【０００５】
本考案は、このような課題に着目してなされたもので、雑草が生えるのを効果的に抑制することができる雑草抑制板を提供することを目的とする。
【課題を解決するための手段】
【０００６】
上記目的を達成するために、本考案に係る雑草抑制板は、支柱に取り付けられる雑草抑制板であって、中央に前記支柱の径よりやや小さい径の開口を有し、前記開口に前記支柱を挿入したとき前記支柱に密着するよう前記開口の周縁に沿って弾性のシール部を有し、前記シール部はそれぞれ前記開口の周縁に沿った複数の環状のリップを有することを、特徴とする。
【０００７】
本考案に係る雑草抑制板は、支柱を中央の開口に挿入し、支柱の根元に設置して使用される。支柱は、例えば、ガードレールの支柱、視線誘導標、電柱、立て看板の支柱等である。本考案に係る雑草抑制板は、開口の径が支柱の径よりやや小さく、開口の周縁に沿って弾性のシール部を有しているため、支柱に密着し、支柱との隙間を防ぐことができる。さらに、シール部が、それぞれ前記開口の周縁に沿った複数の環状のリップを有しているため、支柱に確実に密着することができる。このため、支柱との境界から水や光、空気が地面側に入り込むのを遮断することができ、雑草の繁殖を抑制することができる。このように、本考案に係る雑草抑制板は、雑草が生えるのを効果的に抑制することができる。
【０００８】
また、本考案に係る雑草抑制板は、開口の径が支柱の径よりやや小さく、シール部が弾性を有しているため、支柱の任意の高さ位置に設置することができる。このため、周辺の雑草を刈るとき、支柱の根元から任意の高さに上げることにより、刈刃が接触して互いに破損するのを防ぐとともに、雑草を刈り易くすることができる。
【０００９】
本考案に係る雑草抑制板は、所定の重量を有していることが好ましい。この場合、その自重により支柱の周りの地面を押さえつけることができ、地面との隙間を減らして、雑草をより生えにくくすることができる。重量は、使いやすさとの兼ね合いで、例えば、数百ｇ〜１ｋｇ以下程度が好ましい。また、重量を増やすために、内部に充填材が充填されていてもよい。
【００１０】
本考案に係る雑草抑制板は、全体が弾性を有し、前記開口から外周縁まで連通する切断部と、前記切断部の両側縁部に設けられて互いに接合可能な段差とを有することが好ましい。この場合、全体が弾性を有しているため、切断部を開いて開口に支柱を挿入することができる。このため、ガードレールの支柱など、上方から開口に挿入して地面まで降ろすことができない支柱に取り付けることができる。支柱に設置後、切断部の両側縁部の段差を互いに接合することにより、切断部の隙間を塞ぐことができる。このため、切断部から地面側に水が浸入しにくく、雑草が生えるのを抑制することができる。切断部の両側縁部を重合させるものと比べると、設置時の厚みを均一にすることができ、また、撓んで隙間ができるのを抑えることができる。本考案に係る雑草抑制板は、ゴムのほか、軟質プラスチックから成っていてもよい。また、本考案に係る雑草抑制板は、耐水性、耐光性、耐候性を有することが好ましい。
【００１１】
本考案に係る雑草抑制板は、内部に埋め込まれ、前記切断部の一方の側縁部と他方の側縁部との間に伸び、常態で前記段差を互いに接合した状態に保つ板バネを有することが好ましい。この場合、板バネにより、切断部を塞ぐ方向の付勢力が増すため、段差の隙間をより効果的に塞ぐことができる。このため、雑草の繁殖をより効果的に抑制することができる。
【考案の効果】
【００１２】
本考案によれば、雑草が生えるのを効果的に抑制することができる雑草抑制板を提供することができる。
【図面の簡単な説明】
【００１３】
【図１】本考案の第１の実施の形態の雑草抑制板の（ａ）平面図、（ｂ）横断面図、（ｃ）シール部の拡大断面図である。
【図２】図１に示す雑草抑制板の使用状態を示す側面図である。
【図３】本考案の第２の実施の形態の雑草抑制板の（ａ）平面図、（ｂ）横断面図である。
【図４】図３に示す雑草抑制板の使用状態を示す側面図である。
【考案を実施するための形態】
【００１４】
以下、図面に基づき本考案の実施の形態について説明する。
図１および図２は、本考案の第１の実施の形態の雑草抑制板を示している。本考案の第１の実施の形態の雑草抑制板１０は、視線誘導標１などの支柱に取り付けて使用される。雑草抑制板１０が取り付けられる支柱は、ガードレールの支柱や、電柱、立て看板の支柱等であってもよい。
【００１５】
図１に示すように、雑草抑制板１０は、ＮＢＲ（ニトリルゴム）製で全体が弾性を有し、円環板状を成している。雑草抑制板１０は、廃タイヤ等の産業廃棄物をリサイクルして成っていてもよい。雑草抑制板１０は、耐水性、耐光性、耐候性である。雑草抑制板１０は、中央に円形の開口１１を有し、開口１１の周縁に沿ってシール部１２を有している。開口１１は、取り付ける支柱１ａの径よりやや小さい径を有している。
【００１６】
シール部１２は、雑草抑制板１０の周縁側から開口１１に向かって、一方の表面側に盛り上がるような形状を成している。図１（ｃ）に示すように、シール部１２は、開口１１の側の側面がオイルシールから成っている。シール部１２は、開口１１の周縁に沿って孔側に突出する複数の環状のリップ１３を有している。シール部１２は、複数のリップ１３により、開口１１の縁部がギザギザの形状を成している。
【００１７】
なお、図１に示す具体的な一例では、雑草抑制板１０は、外径が３００ｍｍ、内径が８０ｍｍ、厚さが１０ｍｍ、重さが４００ｇである。
【００１８】
次に、作用について説明する。
図２に示すように、雑草抑制板１０は、視線誘導標１などの支柱１ａを中央の開口１１に挿入し、支柱１ａの根元に設置して使用される。開口１１の径が支柱１ａの径よりやや小さく、開口１１の周縁に沿って弾性のシール部１２を有しているため、開口１１に支柱１ａを挿入したときシール部１２が支柱１ａに密着し、支柱１ａとの間に隙間ができるのを防ぐことができる。さらに、シール部１２が、開口１１の周縁に沿って複数のリップ１３を有しているため、支柱１ａに確実に密着することができる。このため、支柱１ａとの境界から水や光、空気が地面３の側に入り込むのを完全に遮断することができ、雑草の繁殖を抑制することができる。このように、雑草抑制板１０は、雑草が生えるのを効果的に抑制することができる。
【００１９】
また、雑草抑制板１０は、開口１１の径が支柱１ａの径よりやや小さく、シール部１２が弾性を有しているため、支柱１ａの任意の高さ位置に設置することができる。このため、周辺の雑草を刈るとき、支柱１ａの根元から任意の高さに上げた状態で保つことができ、刈刃が接触して互いに破損するのを防ぐとともに、雑草を刈り易くすることができる。また、ゴム製であるため、刈刃が接触したとしても、刈刃が欠けるのを防ぐことができる。
【００２０】
雑草抑制板１０は、その自重と弾力により支柱１ａの周りの地面３を加圧し押さえつけることができ、地面３との隙間を減らして、雑草をより生えにくくすることができる。雑草抑制板１０は、寿命が１５〜２０年程度と長く、交換も容易である。雑草抑制板１０は、既設の道路構造物の支柱にも、新たに設置される道路構造物の支柱にも取り付けることができる。シール部１２のリップ１３の数や形状を変えることにより、密封度を調整することができる。
【００２１】
図３および図４は、本考案の第２の実施の形態の雑草抑制板を示している。本考案の第２の実施の形態の雑草抑制板２０は、ガードレール２などの道路構造物の支柱に取り付けて使用される。なお、以下の説明では、本考案の第１の実施の形態と同一の部材には同一の符号を付して重複する説明を省略する。
【００２２】
図３に示すように、雑草抑制板２０は、切断部２１と段差２２と板バネ２３とを有している。切断部２１は、開口１１から外周縁２４まで切断することにより、開口１１から外周縁２４まで連通するよう形成されている。段差２２は、切断部２１の両側縁部２５ａ，２５ｂに互いに接合可能に設けられている。段差２２の接合により、段差２２の端面は互いに合わさる状態となる。なお、段差２２は、互いに嵌合する形状であってもよい。板バネ２３は、Ｃ字状で、切断部２１の一方の側縁部２５ａから開口１１に沿って切断部２１の他方の側縁部２５ｂまで伸びるよう設けられている。板バネ２３は、外周縁２４の側の内部に埋め込まれている。板バネ２３は、常態で段差２３を互いに接合した状態に保つようになっている。
【００２３】
なお、図３に示す具体的な一例では、雑草抑制板２０は、外径が３６０ｍｍ、内径が１３５ｍｍ、厚さが８ｍｍ、重さが８００ｇである。
【００２４】
次に、作用について説明する。
図４に示すように、雑草抑制板２０は、ガードレール２の支柱２ａなど、上方から開口１１に挿入して地面３まで降ろすことができない支柱に容易に取り付けることができる。雑草抑制板２０は、切断部２１を開いて開口１１にガードレール２などの支柱２ａを挿入し、支柱２ａの根元に設置して使用される。支柱２ａに設置後、切断部２１の両側縁部２５ａ，２５ｂの段差２２を互いに接合することにより、切断部２１の隙間を塞ぐことができる。また、板バネ２３により、切断部２１を塞ぐ方向の付勢力が増すため、段差２３を互いに接合した状態に保ち、切断部２１の隙間をより効果的に塞ぐことができる。このため、切断部２１から地面３の側に水などが入り込むのを効果的に抑えることができ、雑草が生えるのを抑制することができる。また、切断部の両側縁部を重合させるものと比べ、設置時の厚みを均一にすることができるとともに、重合したときに撓んで隙間ができるのを抑制することができる。雑草抑制板２０は、切断部２１により支柱２ａへの脱着が容易であり、ワンタッチで支柱２ａに脱着可能である。
【符号の説明】
【００２５】
１    視線誘導標
１ａ  支柱
２    ガードレール
２ａ  支柱
３    地面
１０、２０  雑草抑制板
１１  開口
１２  シール部
１３  リップ
２１  切断部
２２  段差
２３  板バネ
【図１】
0003158904.tif 000003
【図２】
0003158904.tif 000004
【図３】
0003158904.tif 000005
【図４】
0003158904.tif 000006